(57)【要約】      （修正有）【課題】現像装置において、飛び跳ねる現像剤の過剰排出を抑制する。【解決手段】現像装置は、回転して現像剤を搬送する搬送部材を収容する収容部７０と、前記搬送部材の軸方向から見て側方に開口する開口部と、を有する筐体と、前記開口部の一縁の側に配置された磁石９６と、前記開口部に対する前記一縁と反対側の他縁の側に配置された磁性体と、を備えたものである。【選択図】図５
2019070685.tif 000002
【特許請求の範囲】
【請求項１】
回転して現像剤を搬送する搬送部材を収容する収容部と、前記搬送部材の軸方向から見て側方に開口する開口部と、を有する筐体と、
前記開口部の一縁の側に配置された磁石と、
前記開口部に対する前記一縁と反対側の他縁の側に配置された磁性体と、
を備えた現像装置。
【請求項２】
前記開口部の一縁は、重力方向の上縁又は下縁である請求項１に記載の現像装置。
【請求項３】
前記開口部の一縁は、重力方向の上縁である請求項２に記載の現像装置。
【請求項４】
前記磁性体は、前記重力方向の上側を向く平面を有する請求項３に記載の現像装置。
【請求項５】
前記磁石は、前記磁性体に対し、重力方向から見て少なくとも一部が重なって配置されている請求項２から４の何れか１項に記載の現像装置。
【請求項６】
前記磁石は、前記磁性体に対し、重力方向から見て全体が重なって配置されている請求項５に記載の現像装置。
【請求項７】
前記磁性体は、重力方向から見て前記磁石よりも大きい請求項６に記載の現像装置。
【請求項８】
前記筐体は、前記開口部の下縁側が上縁側に対し前記収容部とは反対側に張り出す張出部を有し、
前記磁性体は、前記張出部から前記収容部の側に突出するように該張出部に固定されている請求項５から７の何れか１項に記載の現像装置。
【請求項９】
潜像が形成される像保持体と、
前記像保持体の外周面に形成された潜像をトナー像として現像する請求項１から８の何れか１項に記載の現像装置と、
を含み、
画像形成装置本体に対して一体として交換されるように組み立てられた組立体。
【請求項１０】
像保持体と、
前記像保持体の外周面を帯電する帯電装置と、
前記帯電装置によって帯電された前記像保持体の外周面に潜像を形成する潜像形成装置と、
前記潜像をトナー像として現像する請求項１から８の何れか１項に記載の現像装置と、
前記トナー像を被転写体に転写する転写装置と、
を備えた画像形成装置。
【発明の詳細な説明】
【技術分野】
【０００１】
本発明は、現像装置、組立体及び画像形成装置に関するものである。
【背景技術】
【０００２】
特許文献１には、キャリアとトナーとを有する現像剤を収容するとともに、像担持体上に形成される潜像を現像する現像装置であって、 軸部上にスクリュ部が形成されるとともに、装置内に収容された現像剤を長手方向に搬送して循環経路を形成する複数の搬送部材と、装置内に新たにキャリアを供給する供給手段と、前記複数の搬送部材のうち１つの搬送部材によって搬送される現像剤の剤面が所定高さを超えたときにその現像剤を外部に排出するために当該１つの搬送部材による搬送経路の隔壁に形成された排出口と、を備え、前記１つの搬送部材は、長手方向の一部に前記スクリュ部が形成されていない切欠領域を具備し、前記排出口は、前記切欠領域に対向するとともに、当該切欠領域よりも長手方向の長さが小さくなるように形成され、前記排出口に対して前記搬送経路の上流側であって前記切欠領域の範囲内に、前記排出口が形成された前記隔壁から前記搬送経路の内部に向けて突出する壁部を設置したことを特徴とする現像装置が記載されている。
【０００３】
特許文献２には、現像剤が収容された現像剤収容容器と像担持体上に現像剤による像を形成する現像器との間を連通する現像剤補給通路と、前記現像剤補給通路の内部において回転しつつ現像剤を搬送する現像剤搬送手段と、を有する現像剤補給装置において、前記現像剤補給通路から現像器へ現像剤を排出する現像剤排出口を開放または遮蔽する現像剤シャッタ部材を、前記現像剤搬送手段の現像剤排出口近傍位置に配置すると共に、前記現像剤シャッタ部材に対向することで該現像剤シャッタ部材との間に磁気シールを形成する磁気シール部材を、前記現像剤シャッタ部材による現像剤排出口の遮蔽時に該現像剤シャッタ部材が対向する現像剤補給通路対向部に配置し、前記現像剤搬送手段の回転停止時に、前記現像剤シャッタ部材が現像剤排出口を遮蔽する位置であって且つ前記磁気シール部材に対向する位置に停止するように、前記現像剤搬送手段を停止させることを特徴とする現像剤補給装置が記載されている。
【先行技術文献】
【特許文献】
【０００４】
【特許文献１】特開２００９−０６９２２５号公報
【特許文献２】特開２００５−２２７３５１号公報
【発明の概要】
【発明が解決しようとする課題】
【０００５】
ところで、現像装置では、収容部に収容された現像剤の高位が、収容部の側壁に形成された排出口の開口の下縁の高さを超えると、現像剤が排出口を通じて外部へ排出される排出構造が知られている。この排出構造を備えた現像装置では、収容部内に設けられるオーガの回転によって、収容部内の現像剤が跳ね上げられて飛散し、排出口を通って排出されることがある。
これを抑制するために、排出口の上部に磁石を設け、排出口に磁気ブラシを形成して排出口を塞ぐものがある。この現像装置では、磁気ブラシが崩れると、回復に長い時間を要する。
【０００６】
本発明の課題は、筐体の収容部に収容されている搬送部材の軸方向から見て側方に開口する開口部に対する一縁に磁石が配置されただけの構成と比べて、開口部の少なくとも一部を塞ぐ磁気ブラシを短時間で形成することを目的とする。
【課題を解決するための手段】
【０００７】
請求項１に記載の現像装置は、回転して現像剤を搬送する搬送部材を収容する収容部と、前記搬送部材の軸方向から見て側方に開口する開口部と、を有する筐体と、前記開口部の一縁の側に配置された磁石と、前記開口部に対する前記一縁と反対側の他縁の側に配置された磁性体と、を備えたものである。
【０００８】
請求項２に記載の現像装置は、請求項１に記載の現像装置において、前記開口部の一縁は、重力方向の上縁又は下縁である。
【０００９】
請求項３に記載の現像装置は、請求項２に記載の現像装置において、前記開口部の一縁は、重力方向の上縁である。
【００１０】
請求項４に記載の現像装置は、請求項３に記載の現像装置において、前記磁性体は、前記重力方向の上側を向く平面を有するものである。
【００１１】
請求項５に記載の現像装置は、請求項２から４の何れか１項に記載の現像装置において、前記磁石は、前記磁性体に対し、重力方向から見て少なくとも一部が重なって配置されているものである。
【００１２】
請求項６に記載の現像装置は、請求項５に記載の現像装置において、前記磁石は、前記磁性体に対し、重力方向から見て全体が重なって配置されているものである。
【００１３】
請求項７に記載の現像装置は、請求項６に記載の現像装置において、前記磁性体は、重力方向から見て前記磁石よりも大きいものである。
【００１４】
請求項８に記載の現像装置は、請求項５から７の何れか１項に記載の現像装置において、前記筐体は、前記開口部の下縁側が上縁側に対し前記収容部とは反対側に張り出す張出部を有し、前記磁性体は、前記張出部から前記収容部の側に突出するように該張出部に固定されているものである。
【００１５】
請求項９に記載の組立体は、潜像が形成される像保持体と、前記像保持体の外周面に形成された潜像をトナー像として現像する請求項１から８の何れか１項に記載の現像装置と、を含み、画像形成装置本体に対して一体として交換されるように組み立てられたものである。
【００１６】
請求項１０に記載の画像形成装置は、像保持体と、前記像保持体の外周面を帯電する帯電装置と、前記帯電装置によって帯電された前記像保持体の外周面に潜像を形成する潜像形成装置と、前記潜像をトナー像として現像する請求項１から８の何れか１項に記載の現像装置と、前記トナー像を被転写体に転写する転写装置と、を備えたものである。
【発明の効果】
【００１７】
請求項１の現像装置によれば、筐体の収容部に収容されている搬送部材の軸方向から見て側方に開口する開口部に対する一縁に磁石が配置されただけの構成と比べて、開口部の少なくとも一部を塞ぐ磁気ブラシを短時間で形成することができる。
【００１８】
請求項２の現像装置によれば、開口部の一縁が側縁である構成と比べて、開口部の少なくとも一部を塞ぐ磁気ブラシを短時間で形成することができる。
【００１９】
請求項３の現像装置によれば、開口部の一縁が下縁である構成と比べて、開口部の少なくとも一部を塞ぐ磁気ブラシを短時間で形成することができる。
【００２０】
請求項４の現像装置によれば、磁性体における磁石側の面が重力方向に対し傾斜する傾斜面である構成と比べて、開口部の少なくとも一部を塞ぐ磁気ブラシを短時間で形成することができる。
【００２１】
請求項５の現像装置によれば、磁石の全体が磁性体に対して重力方向から見てずれて配置されている構成と比べて、開口部の少なくとも一部を塞ぐ磁気ブラシを短時間で形成することができる。
【００２２】
請求項６の現像装置によれば、磁石の一部が磁性体に対し重力方向から見てずれて配置されている構成と比べて、開口部の少なくとも一部を塞ぐ磁気ブラシを短時間で形成することができる。
【００２３】
請求項７の現像装置によれば、重力方向から見て磁石と磁性体とで外縁が一致する構成と比べて、磁石を、全体が磁性体に対し重力方向から見て重なった状態で配置し易い。
【００２４】
請求項８の現像装置によれば、筐体における開口部の下縁側から張り出した張出部を有する構成において、磁石を、少なくとも一部が磁性体に対し重力方向から見て重なった状態で配置することができる。
【００２５】
請求項９の現像装置によれば、現像装置における筐体の収容部に収容されている搬送部材の軸方向から見て側方に開口する開口部に対する一縁に磁石が配置されただけの構成と比べて、像保持体上のトナー像における濃度ムラを抑制することができる。
【００２６】
請求項１０の現像装置によれば、現像装置における筐体の収容部に収容されている搬送部材の軸方向から見て側方に開口する開口部に対する一縁に磁石が配置されただけの構成と比べて、出力画像における画像ムラを抑制することができる。
【図面の簡単な説明】
【００２７】
【図１】本実施形態に係る画像形成装置を示す概略正面図である。
【図２】本実施形態に係る画像形成装置の画像形成部を示す概略正面図である。
【図３】本実施形態に係る画像形成装置のトナー画像形成部を示す概略正面図である。
【図４】本実施形態に係る現像装置の斜視図である。
【図５】図４の５−５断面図である。
【図６】本実施形態に係る現像装置の排出口を外方から見た斜視図である。
【図７】本実施形態に係る現像装置の排出口と磁石と磁性板との位置関係を示す側面図である。
【図８】本実施形態に係る現像装置の排出口と磁石と磁性板との位置関係を示す平面図である。
【図９】図５における排出口部分を示す拡大断面図である。
【図１０】比較例に係る現像装置の排出口部分を示す拡大断面図である。
【発明を実施するための形態】
【００２８】
本発明の実施形態に係る画像形成装置の一例を図１から図９にしたがって説明する。なお、各図に示す矢印Ｈは装置高さ方向（装置上下方向）を示し、矢印Ｗは、装置幅方向を示す。
【００２９】
＜画像形成装置の全体構成＞
画像形成装置１０は、図１に示すように、電子写真方式により画像を形成する画像形成部１２と、画像が形成されるシート部材Ｐを、シート部材Ｐの搬送経路１６に沿って搬送する複数の搬送部材（符号省略）と、を備えている。ここで、シート部材Ｐは、被転写体の一例である。
【００３０】
また、画像形成装置１０は、画像が形成されたシート部材Ｐを冷却する冷却部２０と、シート部材Ｐの湾曲を矯正する矯正部２２と、シート部材Ｐに形成された画像を検査する画像検査部２４と、を備えている。
【００３１】
さらに、画像形成装置１０は、シート部材Ｐの両面に画像を形成させるために、表面に画像が形成されたシート部材Ｐを反転させて、再度、画像形成部１２へ向けて搬送するための反転経路２６を備えている。
【００３２】
上記構成による画像形成装置１０では、画像形成部１２によって形成された画像（トナー画像）が、搬送経路１６に沿って搬送されるシート部材Ｐの表面に形成される。さらに、画像が形成されたシート部材Ｐは、冷却部２０、矯正部２２、画像検査部２４をこの順番で通って装置の外部へ排出される。
【００３３】
一方、シート部材Ｐの裏面に画像を形成する場合は、表面に画像が形成されたシート部材Ｐが反転経路２６に沿って搬送され、再度、画像形成部１２でシート部材Ｐの裏面に画像が形成される。
【００３４】
画像形成部１２は、図１及び図２に示すように、画像形成装置本体１０Ａに組み込まれている。
画像形成部１２は、各色のトナー画像を夫々形成する複数のトナー画像形成部３０と、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着装置３４を備えている。
【００３５】
トナー画像形成部３０は、色ごとにトナー画像を形成するように複数備えられている。本実施形態では、ホワイト（Ｗ）、シルバー（Ｓ）、イエロー（Ｙ）、マゼンタ（Ｍ）、シアン（Ｃ）、ブラック（Ｋ）の計６色のトナー画像形成部３０が備えられている。図２に示す（Ｗ）、（Ｓ）、（Ｙ）、（Ｍ）、（Ｃ）、（Ｋ）は、上記各色を示している。
【００３６】
イエロー（Ｙ）、マゼンタ（Ｍ）、シアン（Ｃ）、及びブラック（Ｋ）の４色は、カラー画像を出力するための基準色であり、ホワイト（Ｗ）、及びシルバー（Ｓ）は、基準色とは異なる色であって、出力画像の色域を広げるための色（以下「特殊色」）である。
また、本実施形態では、イエロー（Ｙ）、マゼンタ（Ｍ）、シアン（Ｃ）、及びブラック（Ｋ）の各現像剤Ｇの粒径は概ね同じ粒径であり、ホワイト（Ｗ）及びシルバー（Ｓ）の各現像剤Ｇの粒径は上記基準色の現像剤Ｇの粒径と異なる。
【００３７】
なお、以後の説明では、ホワイト（Ｗ）、シルバー（Ｓ）、イエロー（Ｙ）、マゼンタ（Ｍ）、シアン（Ｃ）、及びブラック（Ｋ）を区別する必要が無い場合は、符号に付するＷ、Ｓ、Ｙ、Ｍ、Ｃ、及びＫを省略する。
【００３８】
各色のトナー画像形成部３０は、用いるトナーを除き基本的に同様に構成されており、図３に示すように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、キャリアとトナーを含んで構成された現像剤Ｇで静電潜像をトナー画像として現像する現像装置４６とを備えている。
ここで、帯電器４２は、帯電装置の一例であり、露光装置４４は、潜像形成装置の一例である。
なお、現像装置４６については詳細を後述する。
【００３９】
また、本実施形態では、潜像が形成される像保持体４０と、像保持体４０の外周面に形成された潜像をトナー像として現像する後述する現像装置４６と、を含み、画像形成装置本体１０Ａに対して一体として交換されるように、組立体として組み立てられている。
【００４０】
また、トナー画像形成部３０は、図２に示すように、各色の現像装置４６と図示せぬ供給管を介して接続され、各色の現像装置４６へ現像剤Ｇを供給するための各色のトナーカートリッジ２８を備えている。
【００４１】
また、各色の像保持体４０は、周回移動する転写ベルト５０（詳細は後述）に接触している。そして、転写ベルト５０の周回方向（図中矢印参照）において、上流側からホワイト（Ｗ）、シルバー（Ｓ）、イエロー（Ｙ）、マゼンタ（Ｍ）、シアン（Ｃ）、及びブラック（Ｋ）のトナー画像形成部３０が、この順番で水平方向に並んで配置されている。各色のトナー画像形成部では、各色の画像を、各色のトナーを用いて形成するようになっている。
【００４２】
転写部３２は、図２に示すように、複数のロール（符号省略）に巻き掛けられて図中矢印方向に周回し、各色の像保持体４０と接触する転写ベルト５０と、転写ベルト５０を挟んで各色の像保持体４０の反対側にそれぞれ配置される一次転写ロール５２とを備えている。この一次転写ロール５２が、像保持体４０に形成されたトナー画像を転写ベルト５０に転写するようになっている。
ここで、転写部３２は、転写装置の一例である。
また、転写部３２は、転写ベルト５０が巻き掛けられたロール５６と、転写ベルト５０に対してロール５６の反対側に配置され、転写ベルト５０に転写されたトナー画像をシート部材Ｐに転写する二次転写ロール５４とを備えている。この構成により、二次転写ロール５４と転写ベルト５０との間には、シート部材Ｐにトナー画像を転写する転写ニップＮＴが形成されている。
上記構成において、各色のトナー画像形成部３０によって形成されたトナー画像が、周回する転写ベルト５０に一次転写ロール５２によって一次転写される。さらに、この転写ベルト５０に一次転写されたトナー画像が、二次転写ロール５４によってシート部材Ｐに二次転写される。
【００４３】
定着装置３４は、複数のロール（符号省略）に巻き掛けられ、加熱される定着ベルト６０と、定着ベルト６０に向けてシート部材Ｐを加圧する加圧ロール６２とを備えている。
【００４４】
この構成において、周回する定着ベルト６０と加圧ロール６２とによって、トナー画像が転写されたシート部材Ｐが挟み込まれることで、トナー画像がシート部材Ｐに定着されるようになっている。
【００４５】
次に、画像形成装置１０における画像形成工程について説明する。
【００４６】
図１に示すように、画像形成装置１０が作動すると、ホワイト（Ｗ）、シルバー（Ｓ）、イエロー（Ｙ）、マゼンタ（Ｍ）、シアン（Ｃ）、ブラック（Ｋ）の各色の画像データが露光装置４４に出力される。そして、露光装置４４から画像データに応じて出射された光が、帯電器４２により帯電された像保持体４０の外周面（表面）を露光することで、各色の画像データに対応した静電潜像が各像保持体４０の表面に形成される。
【００４７】
続いて、各像保持体４０の表面に形成された静電潜像は、各現像装置４６によってトナー像として現像される。そして、各像保持体４０の表面のトナー像は、転写部３２において転写ベルト５０に順次多重転写される。
【００４８】
一方、搬送経路１６を搬送されてきたシート部材Ｐは、転写ベルト５０への各トナー像の多重転写とタイミングを合わせて、転写部３２に搬送される。そして、転写ベルト５０上に多重転写されたトナー像は、転写部３２に搬送されてきたシート部材Ｐ上に転写される。
【００４９】
続いて、トナー像が転写されたシート部材Ｐは、定着装置３４へ搬送される。そして、定着装置３４では、トナー像が加熱、加圧されることでシート部材Ｐに定着される。トナー像が定着されたシート部材Ｐは、排出部（図示省略）から排出される。
【００５０】
＜現像装置の構成及び基本的な作用＞
次に、現像装置４６について詳細に説明する。なお、各色の現像装置４６は、同一の構造のため、以下では、一つの現像装置４６を例に説明する。
【００５１】
図４に示すように、現像装置４６は、画像形成装置１０の装置奥行方向Ｘ（図１において紙面手前側から奥側への方向）が長手方向とされた装置である。
現像装置４６は、図５に示すように、筐体４６Ａを備え、筐体４６Ａは、現像剤Ｇ及びオーガ７４を収容する収容部７０と、収容部７０の側壁部７２に開口する、後述する排出部９０と、排出部９０を装置幅方向Ｗから覆うカバー７６と、を含んで構成されている。
【００５２】
図４に示すように、収容部７０は、装置奥行方向Ｘが長手方向とされている。この収容部７０は、長手方向の一端部（装置奥行方向Ｘ手前側の端部）が筒状部７０Ａとされている。また、筒状部７０Ａには、装置上方に向けて突出した筒状の供給口７８が設けられている。この供給口７８の内部は、筒状部７０Ａの内部とつながっており、トナーカートリッジ２８から供給される現像剤Ｇを収容部７０及び後述する収容部８０に供給するようになっている。
【００５３】
オーガ７４は、収容部７０の長手方向（装置奥行方向Ｘと同じ方向）を回転軸方向（図中矢印Ｘで示す。）として収容部７０に設けられている。このオーガ７４は、図示しない駆動源からの駆動力によって回転し、収容部７０内の現像剤Ｇを撹拌しながら回転軸方向Ｘに搬送する。本実施形態では、オーガ７４の回転により、装置奥行方向Ｘの奥側から手前側へ向けて現像剤Ｇが搬送される。ここで、オーガ７４は、搬送部材の一例である。
【００５４】
また、収容部７０の装置下方には、図５に示すように、装置奥行方向Ｘが長手方向となる収容部８０が設けられている。収容部７０と収容部８０は、装置奥行方向Ｘにおいて、供給口７８と排出口９２との間に設けられた図示しない通路部を通して連結されている。
【００５５】
この収容部８０は、長手方向の一端部（装置奥行方向Ｘ手前側の端部）が筒状部８０Ａとされている。また、収容部８０には、収容部８０の長手方向（装置奥行方向Ｘと同じ方向）を回転軸方向としてオーガ８２が回転可能に設けられている。このオーガ８２は、図示しない駆動源からの駆動力によって回転し、収容部８０内の現像剤Ｇを撹拌しながら回転軸方向に搬送する。本実施形態では、収容部７０から通路部を通して流れ込んだ現像剤Ｇがオーガ８２の回転により、装置奥行方向Ｘの手前側から奥側へ向けて搬送される。
【００５６】
また、収容部７０と収容部８０は、装置奥行方向Ｘの奥側の端部においても図示しない他の通路部を通してつながっている。収容部８０内をオーガ８２によって搬送された現像剤Ｇは、他の通路部を通して収容部７０へ移動する。収容部７０へ移動した現像剤Ｇは、オーガ７４によって装置奥行方向Ｘの手前側へ向けて搬送される。すなわち、収容部７０の内部と収容部８０の内部は、上記通路部と他の通路部を通して現像剤Ｇの循環経路を構成している。なお、収容部７０内の現像剤Ｇは、現像ロール４７へ送られ、像保持体４０の静電潜像を現像するようになっている。
【００５７】
なお、オーガ７４の装置奥行方向Ｘの手前側の端部では図示しない羽根の螺旋の向きが逆向きとなっており、供給口７８から供給された新しい現像剤Ｇは、収容部７０を搬送方向奥側から手前側へ搬送されてきた古い現像剤Ｇ（トナーが消費された現像剤）と掻き混ぜられて上記通路部を通して収容部８０（筒状部８０Ａ）へ移動する。
【００５８】
＜要部の構成＞
ここで、本発明の要部である現像装置４６の排出部９０について、図５から図９を参照しながら説明する。
【００５９】
［排出部］
図５に示すように、排出部９０は、収容部７０の装置幅方向Ｗに位置する側壁部７２と、側壁部７２の装置幅方向Ｗであって、後述する排出口９２を覆うように設けられた後述するカバー７６と、で構成されている。
具体的には、排出部９０は、排出口９２と、張出壁９４と、磁石９６と、磁性板９８と、を含んで構成されている。
【００６０】
（排出口）
排出口９２は、図５から図９に示すように、収容部７０の側壁部７２を、オーガ７４の回転軸方向（装置奥行方向Ｘ）に直交する方向（装置幅方向Ｗ）に貫通する開口であり、側壁部７２の装置幅方向Ｗの側から見て、四角形の開口である。
排出口９２は、装置幅方向Ｗの側から見て、装置奥行方向Ｘに沿う上辺９２Ａと、上辺９２Ａの両端からそれぞれ装置高さ方向Ｈに沿って下方に向かう左辺９２Ｂと右辺９２Ｃと、左辺９２Ｂと右辺９２Ｃの下端をつなぐ下辺９２Ｄと、を備える。
この下辺９２Ｄは、図７及び図１０に示すように、後述する張出壁９４の上面９４Ａの位置となっている。また、上辺９２Ａ及び下辺９２Ｄの幅寸法はＬ２である。
ここで、下辺９２Ｄは、下縁の一例であり、排出口９２は、開口部の一例である。
【００６１】
また、現像装置４６では、供給口７８を通して新たな現像剤Ｇが収容部７０（筒状部７０Ａ）に供給されると、収容部７０及び収容部８０内の現像剤Ｇの量（以下適宜「現像剤量」と記載する。）が増える。
排出口９２は、収容部７０内の現像剤Ｇの剤面Ｆ（図５参照）がその下縁である下辺９２Ｄ（図９参照）の高さを超えると、余剰分の現像剤Ｇが排出されるようになっている。
下辺９２Ｄの高さを超えた現像剤Ｇは、磁性板９８の上面９８Ａを超えて排出口９２からカバー７６内へ排出される。
カバー７６内へ排出された現像剤Ｇは、カバー７６内に一時的に貯留され、その後、後述するオーガ８６の回転によって回収管８４を通って図示しない回収部へと搬送される。
【００６２】
（張出壁）
張出壁９４は、排出口９２の下方で側壁部７２の外面７２Ｂから張り出しており、図５から図９に示すように、上面９４Ａと、傾斜面部９４Ｂと、左側面部９４Ｃと、右側面部９４Ｄと、内面部９４Ｅと、を含んで構成されている。
張出壁９４は、図５から図７に示すように、排出口９２の前面、すなわち、装置高さ方向Ｈの下方から上方に向けて、漸次側壁部７２の外面７２Ｂから装置幅方向Ｗへの突出量が大きくなる傾斜面部９４Ｂを備える。
傾斜面部９４Ｂは、排出口９２の装置奥行方向Ｘにおける両側に側壁部７２から突出する左側面部９４Ｃと、右側面部９４Ｄと、を備える。
上面９４Ａは、傾斜面部９４Ｂの上部に形成される平面で構成されている。
この上面９４Ａは、排出口９２の下辺９２Ｄに沿って形成され、図５及び図８に示すように、その両端で左側面部９４Ｃと右側面部９４Ｄとにつながり、排出口９２に対して装置幅方向Ｗに空間を隔てて配置されている。
また、傾斜面部９４Ｂは、傾斜面部９４Ｂの収容部７０の側を向く面に内面部９４Ｅを備える。
ここで、張出壁９４は、張出部の一例であり、上面９４Ａは、平面の一例である。また、上面９４Ａは、下縁の一例である下辺９２Ｄと同一の位置である。
【００６３】
また、図７及び図８に示すように、上面９４Ａにおける装置奥行方向Ｘの両側は、側壁部７２の外面７２Ｂに沿って、排出口９２の左辺９２Ｂ及び右辺９２Ｃを超えて延びている。
【００６４】
〔カバー〕
図５に示すように、現像装置４６は、排出口９２を覆うように筒状部７０Ａの側壁部７２に取り付けられるカバー７６を備えている。このカバー７６は、内部が排出口９２を通して筒状部７０Ａの内部とつながっており、排出口９２から排出された現像剤Ｇを一時的に貯溜可能とされている。
また、カバー７６の上部の、排出口９２を上方及び側方から覆う上壁７６Ａの内面７６Ｂに、後述する磁石９６が接着テープを用いて取り付けられている。
カバー７６は、収容部７０とで、筐体４６Ａを構成するものである。
ここで、内面７６Ｂは、上縁の一例であり、開口部の一縁の側の一例である。
【００６５】
カバー７６の下部には、カバー７６内に貯留する現像剤Ｇを図示しない回収部へ送るための回収管８４（図４参照）がつながっている。この回収管８４内には、回収管８４の軸方向を回転軸方向としてオーガ８６が設けられている。このオーガ８６が回転することで、カバー７６内に貯留した現像剤Ｇが装置奥行き方向手前側から奥側へ搬送され、図示しない回収部で回収される。
【００６６】
（磁石）
磁石９６は、図６から図８に示すように、直方体状であり、上面９６Ａと、下面９６Ｂと、内面９６Ｃと、外面９６Ｄ、とを含んで構成されている。
この磁石９６は、図５に示すように、排出口９２の前面を覆うカバー７６の上壁７６Ａの内面７６Ｂに、上面９６Ａが接着剤によって取り付けられている。
【００６７】
また、磁石９６の装置奥行方向Ｘの寸法Ｌ１は、図７及び８に示すように、装置高さ方向Ｈの方向から見て、排出口９２の装置奥行方向Ｘの開口の寸法Ｌ２より大きい。
ここで、装置高さ方向Ｈは、重力方向の一例である。
よって、磁石９６は、カバー７６が排出口９２を覆う位置に配置されると、図７に示すように、排出口９２の前面である側壁部７２の外面７２Ｂの装置奥行方向Ｘに沿って配置され、その両側は、排出口９２の装置奥行方向Ｘの両側からはみ出す態様で配置される。
【００６８】
また、装置高さ方向Ｈにおける磁石９６と排出口９２との位置関係は、図７に示すように、装置幅方向Ｗから見て、磁石９６の上面９６Ａは、排出口９２の上辺９２Ａよりも高位置に配置されている。また、磁石９６の下面９６Ｂは、排出口９２の上辺９２Ａよりも低い位置に配置されている。
そして、下面９６Ｂは、後述する磁性板９８の上面９８Ａと距離を隔てて配置されていることにより、磁石９６と磁性板９８との間に、排出口９２の開口が位置する。
【００６９】
また、磁石９６は、一例として、装置奥行方向Ｘの両端の側にＮ極とＳ極とを備えている。これは、他の例として、磁石９６の装置高さ方向Ｈの両端の側にＮ極とＳ極とを備えてもよく、また、磁石９６の装置幅方向Ｗの両端の側にＮ極とＳ極とを備えてもよい。
【００７０】
（磁性板）
磁性板９８は、図６から図８に示すように、薄板状の部材とされ、上面９８Ａと、下面９８Ｂと、内面９８Ｃと、外面９８Ｄと、を含んで構成されている。
磁性板９８は、本実施形態では、薄い鋼板を用いている。鋼板は、例えば、ＳＳ４００やＳＵＳ４０３等を用いてもよい。
【００７１】
磁性板９８は、排出口９２における上縁側に位置するカバー７６の上壁７６Ａと反対側の縁をなす張出壁９４の上面９４Ａの側に配置されている。
具体的には、図５、８、及び９に示すように、磁性板９８は、排出口９２の前面に位置する張出壁９４の上面９４Ａに一部が載せられて固定され、残りの部分は、上面９４Ａから収容部７０の側に突出する構成となっている。
また、磁性板９８は、張出壁９４の上面９４Ａと左側面部９４Ｃと右側面部９４Ｄとで囲まれ、上向きに開口する空間を塞いでいる。
ここで、磁性板９８は、磁性体の一例である。
【００７２】
また、磁性板９８の装置奥行方向Ｘの寸法Ｌ３は、図７及び８に示すように、装置高さ方向Ｈの方向から見て、磁石９６の装置奥行方向Ｘの寸法Ｌ１より大きい。
また、磁性板９８の装置奥行方向Ｘの寸法Ｌ３は、排出口９２の装置奥行方向Ｘの寸法Ｌ２に対しても大きい。
この磁性板９８の寸法Ｌ３は、本実施形態においては、張出壁９４の装置奥行方向Ｘと揃う寸法とされている。
よって、磁性板９８は、排出口９２の前面において、その両側が排出口９２の装置奥行方向Ｘの両側からはみ出す態様で配置される。さらに、磁性板９８は、磁石９６の装置奥行方向Ｘの両側からもはみ出す態様で配置される。
【００７３】
［排出口と磁石と磁性体の相互の位置関係］
ここで、排出口９２と磁石９６と磁性板９８の相互の位置関係について整理して説明する。
【００７４】
（排出口と磁石の位置関係）
図７及び８に示すように、磁石９６は、装置奥行方向Ｘにおける排出口９２の開口範囲に亘って配置されている。
また、磁石９６は、装置奥行方向Ｘにおいて、その両端が排出口９２の両端（左辺９２Ｂ及び右辺９２Ｃ）からはみ出している。
【００７５】
（排出口と磁性板の位置関係）
図７及び図８に示すように、磁性板９８は、装置奥行寸法Ｘにおいて、その両端が排出口９２の両端（左辺９２Ｂ及び右辺９２Ｃ）からはみ出している。
【００７６】
（磁石と磁性板の位置関係）
【００７７】
磁石９６は、図５に示すように、カバー７６が排出口９２を覆う位置に配置されると、図７及び図８に示すように、磁性板９８に対して、装置高さ方向Ｈから見て、その一部が重なって配置される。
本実施例においては、磁石９６の内面９６Ｃは、磁性板９８の内面９８Ｃよりも排出口９２側にはみ出している。
【００７８】
＜要部の作用＞
ここで、本実施形態の要部である排出部９０の作用について、比較例の現像装置と比較しつつ、詳細に説明する。なお、共通する構成には、同一の符号を用いる。
【００７９】
図１０に示すように、比較例に係る現像装置４６は、排出口９２の前面となるカバー７６に磁石９６が取り付けられているが、張出壁９４の上面９４Ａには磁性板を備えていない。
この比較例において、磁石９６の磁力によって、排出口９２の前面には、磁気ブラシ８８が形成されて、排出口９２の一部を塞ぐとともに、収容部７０内で飛散する現像剤Ｇの排出を抑制している。
【００８０】
しかしながら、例えば、現像装置４６の画像形成装置本体１０Ａへの着脱動作や保守動作に伴う衝撃や振動が現像装置４６に加わると、磁気ブラシ８８が壊れて、排出口９２が塞がれなくなることがある。
壊れた磁気ブラシ８８を排出口９２に復元させるには、現像装置４６を再び画像形成装置本体１０Ａに装着して現像装置４６を稼働させるが、排出口９２の上部に磁石９６を設けただけの比較例では、排出口９２を短時間で再び塞ぐことができない。
【００８１】
これに対し、本実施形態における現像装置４６は、回転して現像剤Ｇを搬送するオーガ７４を収容する収容部７０と、オーガ７４の軸方向から見て側方に開口する排出口９２と、を筐体４６Ａに有する。これに加え、排出口９２の一縁の側に配置された磁石９６と、排出口９２に対する前記一縁と反対側の他縁の側に配置された磁性板９８と、を備えたものである。
【００８２】
図９に示すように、排出口９２の前面には、排出口９２の上部となるカバー７６の上壁７６Ａの内面７６Ｂに配置された磁石９６と、排出口の下部となる張出壁９４の上面９４Ａに配置された磁性板９８の上面９８Ａとの間に磁界が形成される。
この形成される磁界による磁力よって、収容部７０内で飛散して排出口９２から排出される現像剤Ｇが吸着されて磁気ブラシ８８が形成される。
【００８３】
形成された磁気ブラシ８８は、比較例に示す現像装置４６と比較して壊れにくいので、現像装置４６に加わる衝撃や振動が大きくなければ、壊れる可能性が小さい。
一方、現像装置４６に加わる衝撃や振動が大きければ、磁気ブラシ８８は比較例の現像装置４６と同様に壊れる場合がある。
このように磁気ブラシ８８が壊れた場合でも、本実施形態の現像装置４６は、現像装置４６を再び画像形成装置本体１０Ａに装着して現像装置４６が稼働すれば、比較例の現像装置４６と比べて、排出口９２に磁気ブラシ８８が短時間で再生される。
これは、磁石９６と磁性板９８との間に磁界が形成されていることによる。
これにより、排出口９２は、再生された磁気ブラシ８８によって短時間で塞がれ、収容部７０内で飛散する現像剤Ｇを磁気ブラシ８８に吸着させることができるから、収容部７０内で飛散する現像剤Ｇの排出口９２からの排出を抑制することができる。
【００８４】
以上、説明したように、本実施形態においては、以下に示す構成及び効果を有する。
【００８５】
本実施形態における現像装置４６は、回転して現像剤Ｇを搬送するオーガ７４を収容する収容部７０と、オーガ７４の軸方向から見て側方に開口する排出口９２と、を筐体４６Ａに有する。これに加え、該現像装置４６は、排出口９２の一縁の側に配置された磁石９６と、排出口９２に対する前記一縁と反対側の他縁の側に配置された磁性板９８と、を備えたものである。
これにより、筐体４６Ａの収容部７０に収容されているオーガ７４の軸方向から見て側方に開口する排出口９２に対する一縁に磁石９６が配置されただけの構成と比べて、排出口９２を塞ぐ磁気ブラシ８８を短時間で形成することができる。
【００８６】
また、本実施形態における現像装置４６は、排出口９２の一縁は、重力方向の上縁又は下縁である。
これにより、排出口９２の一縁が側縁である構成と比べて、排出口９２を塞ぐ磁気ブラシ８８を短時間で形成することができる。
【００８７】
また、本実施形態における現像装置４６は、排出口９２の一縁は、重力方向の上縁である。
これにより、排出口９２の一縁が下縁である構成と比べて、排出口９２を塞ぐ磁気ブラシ８８を短時間で形成することができる。
【００８８】
また、本実施形態における現像装置４６は、磁性板９８は、重力方向の上側を向く平面を有するものである。
これにより、磁性板９８における磁石９６側の面が重力方向に対し傾斜する傾斜面である構成と比べて、排出口９２を塞ぐ磁気ブラシ８８を短時間で形成することができる。
【００８９】
また、本実施形態における現像装置は、磁石９６は、磁性板９８に対し、重力方向から見て少なくとも一部が重なって配置されているものである。
これにより、磁石９６の全体が磁性板９８に対して重力方向から見てずれて配置されている構成と比べて、排出口９２を塞ぐ磁気ブラシ８８を短時間で形成することができる。
【００９０】
また、本実施形態における現像装置４６は、筐体４６Ａは、排出口９２の下縁側が上縁側に対し収容部７０とは反対側に張り出す張出壁９４を有し、磁性板９８は、張出壁９４から収容部７０の側に突出するように該張出壁９４に固定されているものである。
これにより、筐体４６Ａにおける排出口９２の下縁側から張り出した張出壁９４を有する構成において、磁石９６を、少なくとも一部が磁性板９８に対し重力方向から見て重なった状態で配置することができる。
【００９１】
また、本実施形態における組立体は、潜像が形成される像保持体４０と、像保持体４０の外周面に形成された潜像をトナー像として現像する現像装置４６と、を含み、画像形成装置本体１０Ａに対して一体として交換されるように組み立てられたものである。
これにより、現像装置４６における筐体４６Ａの収容部７０に収容されているオーガ７４の軸方向から見て側方に開口する排出口９２に対する一縁に磁石９６が配置されただけの構成と比べて、出力画像における画像ムラを抑制することができる。
【００９２】
また、本実施形態の画像形成装置１０は、次に示す構成を備えたものである。
像保持体４０と、像保持体４０の外周面を帯電する帯電器４２と、帯電器４２によって帯電された像保持体４０の外周面に潜像を形成する露光装置４４と、潜像をトナー像として現像する現像装置４６と、トナー像をシート部材Ｐに転写する転写部３２。
これにより、現像装置４６における筐体４６Ａの収容部７０に収容されているオーガ７４の軸方向から見て側方に開口する排出口９２に対する一縁に磁石９６が配置されただけの構成と比べて、像保持体４０上のトナー像における濃度ムラを抑制することができる。
【００９３】
＜変形例＞
ここで、本実施形態における磁石９６と磁性板９８の配置について、変形例を説明する。
【００９４】
［変形例１］
変形例１では、磁石９６は、磁性板９８に対して、装置高さ方向Ｈから見て、その全体が重なって配置されるように構成する。すなわち、図８において、磁石９６が、磁性板９８の外縁が一致する位置に配置するものである。
これにより、磁石９６の一部が磁性板９８に対し重力方向から見てずれて配置されている構成と比べて、排出口９２を塞ぐ磁気ブラシ８８を短時間で形成することができる。
【００９５】
［変形例２］
変形例２では、磁性板９８は、重力方向から見て磁石９６よりも大きいもので構成する。図８に示す磁性板９８は、磁石９６よりも大きいものとしてあるが、具体的には、図８において、磁石９６の内面９６Ｃが、磁性板９８の内面９８Ｃよりも排出口９２の側と反対側（磁性板９８の平面内）にずれた位置に配置するものである。すなわち、磁石９６の外縁が磁性板９８の外縁の包含される態様とするものである。
これにより、重力方向から見て磁石９６と磁性板９８とで外縁が一致する構成と比べて、磁石９６を、全体が磁性板９８に対し重力方向から見て重なった状態で配置し易いものとなる。
【００９６】
以上、実施形態を挙げて本発明の実施の形態を説明したが、これらの実施形態は一例であり、要旨を逸脱しない範囲内で種々変更して実施でき、また、本発明の権利範囲がこれらの実施形態に限定されないことは言うまでもない。
【００９７】
例えば、磁石９６は、カバー７６の上壁７６Ａの内面７６Ｂに固定されていると説明したが、磁石９６は、その一部又は全部が上壁７６Ａに埋め込まれていてもよく、また、上壁７６Ａに複数の段差を備えるものとしてもよい。
【００９８】
また、磁石９６は、カバー７６の上壁７６Ａの内面７６Ｂに設けるようにしたが、磁石９６は、収容部７０の側壁部７２に設けてもよい。
【００９９】
また、磁石９６の下面９６Ｂは、装置奥行方向Ｘから見て、装置幅方向Ｗにおいて、カバー７６の上壁７６Ａの内面７６Ｂと同じ向きとした。
しかしながら、磁石９６の下面９６Ｂは、装置奥行方向Ｘから見て、装置幅方向Ｗに傾斜した状態（内面７６Ｂの面と異なる方向）で設けてもよい。
【０１００】
また、磁石９６は、装置奥行方向Ｘから見て直方体状であると説明したが、これに限らず、断面が、三角形状、台形形状等の各種多角形であってもよく、円形や楕円形状であってもよい。
【０１０１】
また、磁石９６は、装置奥行方向Ｘに延びる直方体状のものが一つとして説明したが、磁石９６は、装置奥行方向Ｘに沿って、複数の磁石９６を並べるようにしてもよく、また、磁石９６に磁性体（鉄板等）を組み合わせてもよい。
【０１０２】
また、磁石９６の排出口９２を向く側の面は、排出口９２における開口面７２Ｄに揃うように説明したが、磁石９６の排出口９２を向く側の面と開口面７２Ｄとの間に隙間を備えるようにしてもよい。
【０１０３】
また、磁性板９８は、鋼板を用いると説明したが、鋼板に代えて、鉄粉入りの樹脂板を用いてもよい。
【０１０４】
また、磁性板９８は、薄板状の部材であると説明したが、板状に限らず、断面が、三角形状、台形形状等の各種多角形であってもよく、円形や楕円形状であってもよい。
【符号の説明】
【０１０５】
１０      画像形成装置
１０Ａ    画像形成装置本体
３２      転写部（転写装置の一例）
４０      像保持体
４２      帯電器（帯電装置の一例）
４４      露光装置（潜像形成装置の一例）
４６      現像装置
４６Ａ    筐体
７０      収容部
７２      側壁部
７４      オーガ（搬送部材の一例）
７６      カバー
７６Ｂ    内面（上縁の一例）
８８      磁気ブラシ
９０      排出部
９２      排出口（開口部の一例）
９２Ｄ    下辺（下縁の一例）
９４      張出壁（張出部の一例）
９６      磁石
９８      磁性板（磁性体の一例）
９８Ａ    上面（平面の一例）
Ｇ        現像剤
Ｆ        予め定められた高位
Ｐ        シート部材（被転写体の一例）
【図１】
2019070685.tif 000003
【図２】
2019070685.tif 000004
【図３】
2019070685.tif 000005
【図４】
2019070685.tif 000006
【図５】
2019070685.tif 000007
【図６】
2019070685.tif 000008
【図７】
2019070685.tif 000009
【図８】
2019070685.tif 000010
【図９】
2019070685.tif 000011
【図１０】
2019070685.tif 000012